(57)【要約】【課題】  ＤＶＤプレーヤ等によるディスク再生中の選択画像Ｆｉｌｅを印刷するための印刷システム提供を目的とする。【解決手段】  ＤＶＤプレーヤでは、再生中の画像の印刷指定する印刷指定手段と、印刷指定した画像Ｆｉｌｅの記録されているディスク情報と印刷指定情報とを対応させた印刷ＪＯＢ情報を作成する印刷ＪＯＢ作成手段と、印刷ＪＯＢ情報を送信する印刷ＪＯＢ送信手段とを備え、ＤＶＤプレーヤに接続されたプリンタでは、印刷ＪＯＢ情報を受信し情報を識別する受信情報識別手段と、外部接続しているＤＶＤドライブにディスクが装着されるとそのディスク内容を印刷ＪＯＢ情報をもとに判定し印刷処理に起動をかける印刷起動手段を備え、以上で構成された画像Ｆｉｌｅ印刷システムにより、ＤＶＤプレーヤで選択した画像の印刷を可能にするものである。【選択図】  図１
2006121300.tif 000002
【特許請求の範囲】
【請求項１】
第一の画像再生装置は
画像が記録された記憶媒体から画像を再生する画像再生手段を持ち、前記再生画像を表示する表示装置と画像印刷を行う印刷装置を接続し、前記印刷装置では第二の画像再生装置を接続し構成されたシステムで、第一の画像再生装置には、状態情報送信手段、再生中の前記記憶媒体に記録された画像Fileを印刷用に画像選択ができる印刷画像選択手段、前記記憶媒体の識別読み出し手段、前記画像選択手段で選択した画像File情報と前記識別読み出し手段で得られた情報と印刷命令情報とを前記印刷装置へ送信する送信手段を備え、前述印刷装置には前述第一の画像再生装置より送られる各種情報を受信し識別する受信情報識別手段、前記第一の画像再生装置で選択された画像の印刷制御を行う選択画像印刷制御手段、前述受信情報で得られた情報により選択画像印刷制御へ切り替える印刷切り替え手段、前述選択画像印刷制御中に選択した画像File情報と前記識別読み出し手段で得られた情報と印刷命令情報を得ると記憶部へ保存する情報保存手段、第二の画像再生装置に画像が記録された記憶媒体が装着されたことにより該当記録媒体かを判断し選択画像印刷制御手段により前述情報保存手段による保存情報を参照して印刷処理に起動をかける印刷起動手段とを備えたことを特徴とする画像File印刷システム。
【請求項２】
第一の画像再生装置には画像データを送信する画像データ送信手段、印刷選択画像を画像データで送るための送信切り替え手段を備え、印刷装置には画像データを受信する画像データ受信手段、前述画像データの印刷を可能にする印刷モード切替手段を備えたことを特徴とする請求項１の画像File印刷システム。
【請求項３】
印刷装置は情報処理装置と接続して情報処理装置からの印刷が可能な第二の印刷手段を備え、第二の印刷手段が処理中は受信情報識別手段、情報保存手段が動作可能であることを特徴とする請求項１、２の画像File印刷システム。
【請求項４】
第一の画像再生手段では印刷画像選択処理モードを中断できる選択処理モード中断手段を備え、中断状態は状態情報送信手段で印刷装置へ伝えられ、印刷装置は印刷切り替え手段により選択画像印刷制御から通常制御へ移行することを特徴とする請求項１，２，３の画像File印刷システム。
【請求項５】
接続I/FにUSB（Universal Serial Bus）を使用することを特徴とする請求項１，２、３、４の画像File印刷システム。
【発明の詳細な説明】
【技術分野】
【０００１】
本発明はDVDプレーヤ等によるディスク再生中の選択画像Fileを印刷するための印刷システムに関する。
【背景技術】
【０００２】
近年、DVDディスクの映像、画像を再生するDVDプレーヤ、DVDレコーダが急速に普及している。またデジタルカメラで撮影して画像が保存されたメモリカードを装着して再生できる機種なども登場して、TV画面に表示された画像を楽しむ機会が増えてきた。
【０００３】
それらの画像を印刷する方法は、一般的にはDVDディスク或いはメモリカードの画像データを一旦パソコンに取り込みパソコンに接続されたプリンタで印刷する方法であり（例えば特許文献１参照）、最近ではデジタルカメラとプリンタを直接接続して印刷を行うダイレクトプリント、或いはデジタルカメラの操作による間接的な印刷の方法としてDPOFを使い、DOPFで指定した画像は前述ダイレクト印刷時或いはPC印刷時に自動で指定画像が指定枚数印刷することも出来る方法が新たに登場してきた。
【０００４】
DPOFとは「Digital Print Order Format」の略で画像の中から印刷したいFileや枚数などの指定情報を記録メディアに記録するためのフォーマットである。
【０００５】
以下、従来のDVDディスクの印刷方法について説明する。
【０００６】
特許文献１の従来例では、様々なメディア記録装置と印刷装置がネットワークで接続された構成で、複数メディアの情報を印刷情報に変換する装置を持つことで、例えばDVDディスクからの印刷の問題を解決している。
【特許文献１】特開平１１−３２７８３８公開特許公報
【発明の開示】
【発明が解決しようとする課題】
【０００７】
しかしながらDVDプレーヤ、DVDレコーダ等AV機器から選択画像の直接プリンタへの印刷方法の提案がなされていない為、パーソナルコンピュータ（PC）場合によってはデジタルカメラなどの介在が必要であり、PC／デジタルカメラを使わなくてすむ簡単に印刷できる方法が望まれている。
【０００８】
また仮に現状の前述AV機器からの直接印刷が可能になった場合では、印刷選択画像の画像処理、或いは印刷データ転送処理を制御するドライバ部を備えるためにリソース的にも処理能力的にもそれ相応な能力が必要になり、上位機種ならともかく普及廉価版の機種では負荷が大きすぎる為、例えば印刷中には前記AV機器本来の処理が中断される等の弊害が予想される。
【０００９】
また直接印刷以外の方法を考える時DPOF方式を使った間接的印刷方法が考えられるが、この方法では前述のごとくデジタルカメラとプリンタとの間で直接的に行う印刷、或いはパーソナルコンピュータ（パソコン／PC）を介して行う印刷のために、DCF方式の画像と印刷情報がデジタルカメラでメモリカードへの保存／設定が行わる。これと同様な方式でデジタルカメラ、メモリカードを使わないで保存／保存設定する方法は現段階では提案されていない。例えばDVDレコーダでDVD-R／RWへDPOF情報を保存／設定する方式は現在ない。
【００１０】
まして再生機能しか持たないDVDプレーヤ等では保存機能を持たないため間接（DPOF）方式の情報の保存／設定が出来なく、DPOF方式の印刷は考えられない。
【００１１】
これらのことを踏まえて、前述AV機器からの印刷を可能とし、更に本来のAV関連処理に影響を与えないですむ簡便で安価な印刷方法を持つ印刷システムが望まれていた。
【課題を解決するための手段】
【００１２】
上記課題を解決するために本発明の画像File印刷システムはDVDプレーヤでは、再生中の画像の印刷指定する印刷指定手段と、印刷指定した画像Fileの記録されているディスク情報と印刷指定情報とを対応させた印刷JOB情報を作成する印刷JOB作成手段と、印刷JOB情報を送信する印刷JOB送信手段とを備え、DVDプレーヤに接続されたプリンタでは、印刷JOB情報を受信し情報を識別する受信情報識別手段と、外部接続しているDVDドライブにディスクが装着されるとそのディスク内容を印刷JOB情報をもとに判定し印刷処理に起動をかける印刷起動手段を備え、以上で構成された画像File印刷システムにより、DVDプレーヤで選択した画像の印刷を可能にするものである。
【発明の効果】
【００１３】
本発明によれば、以上説明したようにDVDプレーヤで画像選択した際にDVD−ＲディスクのＩＤ、印刷画像File名（パスを含む）等の印刷指定情報と印刷条件等の印刷JOB情報をプリンタへ送信を行い、プリンタではDVDプレーヤから取り出されたDVD−Rディスクがプリンタ用外部DVDドライブにセットされた時、印刷JOB情報をもとに印刷指定された画像Fileの印刷を自動で行える様にしたことにより、DVDプレーヤでは印刷に拘わる処理が軽減できる効果があり、またデータの転送に関しては画像データは転送されなくデータ量は少なくて済むためデータ転送処理に負荷をかけなくて済む効果があり、DVDプレーヤ本来の処理への影響を与えなくてすむため本来の処理が迅速に行われ印刷実行時における性能が向上し、操作性も向上するという効果がある。
【００１４】
またDVDプレーヤ再生時に印刷モードを選択でき、間接印刷モードを選ぶと画像選択時に印刷JOB情報のみの転送になりDVDプレーヤの処理は再生処理に専念できるため印刷処理の影響は無く、直接印刷モードを選べば画像選択時に画像データが転送されるため再生処理に影響があるがDVDディスクの取り出し／装着の操作の必要が無くそれぞれ特徴を持つため、ユーザーが状況に合わせて対応できる選択肢が増すことにより利便性が向上する効果がある。
【００１５】
また直接印刷の場合は画像選択を一通り終了後にまとめて画像データを送信する方法も用意されているので、ユーザーがDVDプレーヤのすべての処理を終了した後データ転送を行えば印刷処理の影響を受けないで利便性が向上するという効果がある。
【００１６】
また、プリンタはPC印刷が可能で、PC印刷時であってもDVD印刷の印刷JOB情報を受信できるため、操作性が向上するという効果がある。
【００１７】
またDVDプレーヤでDVD印刷の画像選択時に中断モードを備えているため、PC印刷を割り込んで先に印刷することが可能になり、操作性が向上するという効果がある
またプリンタの外付けで使用しているDVDドライブ（USBI/F）はPCで使用されているドライブの流用が可能で経済効率も向上し、接続の切り替えも容易であるという効果がある。
【発明を実施するための最良の形態】
【００１８】
本発明の実施形態について図面を参照して詳細に説明する。
【００１９】
図１は、本発明を最もよくあらわす図であり、図中１０１はDVD−ROM，DVD±R／RW、DVD−RAM、CD−ROM，CD−R／RW等のディスクを再生するDVDプレーヤ、１０２はDVDプレーヤ１０１で再生された画像を表示するテレビモニタ、１０３はDVDプレーヤ１０１からの印刷JOBを基に印刷が可能なプリンタ、１０４はプリンタ１０３に外部接続されるDVDドライブ、１０５はDVDプレーヤ１０１で再生に使用されたDVDディスクである。
【００２０】
DVDディスク１０５の画像FileはDVDプレーヤ１０１で再生され、その画像はテレビモニタ１０２で表示される。
【００２１】
表示中の画像をDVDプレーヤ１０１の印刷選択ボタン（不図示）で選択操作をすると、表示に対応する画像File名とかDVDディスクを特定するID識別情報、印刷命令情報等を印刷JOB情報としてプリンタ１０３へ転送を開始する。プリンタが接続されていなければ転送処理は行われない。
【００２２】
プリンタ１０３では、最初にDVDプレーヤ１０１が接続されていて尚且つDVD再生が実行中かを判定の後、印刷JOB処理モードに入り、DVDプレーヤ１０１からの印刷JOB情報を受信待機する。待機中に印刷JOB情報を受信すれば、その情報は一旦内部メモリ（不図示）内の印刷ＪＯＢ情報エリアへ保存する。DVDプレーヤの印刷画像選択処理が終了すると、印刷JOB情報として終了メッセージが転送され、それを受信するとプリンタ１０３では印刷起動のトリガ待ちになる。
【００２３】
DVDプレーヤ１０１から取り出されたDVDディスク１０５がプリンタ１０３に外部接続されているDVDドライブ１０４に装着されると、その情報がプリンタ１０３に伝えられDVDディスクID情報を読み出し、前記印刷JOB情報内のディスクIDと一致すると、印刷開始起動がかかり、保存された印刷JOB情報の順に印刷処理が開始され、対応画像FileがDVDドライブ１０４から読み出され印刷処理が実行される。
【００２４】
図２は内部ブロックの詳細図である。
【００２５】
図中１０１はDVD-ROM、DVD-RAM、DVD±R/RW等ディスクの再生処理を行うDVDプレーヤでありその内部構成は、２０２はDVDプレーヤ１０１全体の制御を行うCPU、２０３はDVDプレーヤ１０１を制御するプログラム等が格納されている読み出し専用メモリであるROM、２０４は一時的にデータを保管したりワークエリアとして使用されるランダムアクセスメモリであるRAM、２０５は印刷画像の選択ボタンや動作状態を示す表示機を備える操作／表示パネル、２０６は前述ディスクを再生するためのDVDドライブを制御するDVDコントローラ、２０８はディスク再生画像／映像を表示機へ出力する為のグラフィックI/F、２０９は再生音を出力するオーディオI/F、２１２はUSBデータ送受信を制御するUSBコントローラであり、それらはすべてDVDプレーヤ１０１内の内部バスで接続されている。
【００２６】
また、２０７はDVDコントローラ２０６と接続され、その制御により作動するDVDドライブ、２１１はUSBコントローラと接続していてその制御により作動し、また外部装置とUSB接続しているUSBI/Fである。
【００２７】
１０２は前述グラフィックI/F２０８、オーディオI/F２０９と接続されて表示画面に画像を表示し入力音声信号により音声を出力するテレビモニタである。
【００２８】
１０３は画像データの印刷を行うプリンタであり、プリンタ１０３の内部構成は、２２１はプリンタ１０３全体の制御を行うCPU、２２２はプリンタ１０３を制御するプログラム等が格納されている読み出し専用メモリであるROM、２２３は一時的にデータを保管したりワークエリアとして使用されるランダムアクセスメモリであるRAM、２２４は印刷の制御を行うプリンタコントローラ、２２６はUSB接続の外部装置とデータ等の送受信を行うUSBI/Fを制御するUSBコントローラ、２２８はUSBHOSTとしての制御を行うUSBHOSTコントローラであり、以上で構成されそれらはプリンタ１０３内の内部バスで繋がっている。
【００２９】
また２２５はプリンタコントロール２２４と接続し、その制御により印刷処理を実行するプリンタエンジン部、２２７はUSBコントローラ２２６と接続、その制御で外部装置との送受信処理を実行するUSBI/F、２２９はUSBHOSTコントローラ２２８と接続、それに制御されるUSB（HOST）I/Fである。
【００３０】
２４０はパーソナルコンピュータでUSBI/F２２７を介してプリンタ１０３とUSB接続され、２５０は外付けDVDドライブでUSB（HOST）I/F２２９を介してプリンタ１０３とUSB接続される。
【００３１】
プリンタ１０３とDVDプレーヤ１０１はそれぞれUSB（HOST）I/F２２９とUSBI/F２２１間でUSB接続される。
【００３２】
次に詳細な動作の説明入る。
【００３３】
DVDプレーヤ１０１において、通常の使用ではDVD-ROM等のディスクをDVDドライブ２０７へ装着し操作／表示パネル２０５の「再生開始ボタン」（不図示）を押下すると、CPU２０２がROM２０３内のプログラムに従い、まずDVDコントローラ２０６の制御によりディスクのデータの読み出しが始まり、画像／映像データは一時的にRAM２０４へ保存され場合によっては画像処理がなされグラフィックI/F２０８を介してテレビモニタ１０２へ送られ画像／映像が表示される。またディスクに音声のデータがある場合は読み出しが始まり画像表示処理と同期を取りながら必要に応じてRAM２０４で保存或いは加工処理がなされてオーディオI/F２０９を介してテレビモニタ１０２へ送られ音声信号がスピーカ（不図示）から音声として出力される。
【００３４】
一方、プリンタ１０３では通常、印刷の場合はPC２４０とUSB接続をしてPC２４０で画像処理された印刷データをプリンタ１０３で受信して印刷が行われる。
【００３５】
本発明では、DVD画像データの印刷が主題である為、以下DVDプレーヤ１０１、テレビモニタ１０２、プリンタ１０３、外付けDVDドライブ１０４の表示関係及び画像データの印刷関連だけについての説明を行う。
【００３６】
印刷用画像データが保存されたディスクの例として本発明はDVD-Rで説明を行う。
【００３７】
まず最初にDVD-R内の画像Fileがテレビモニタ１０２で表示されている状態でかつプリンタ１０３がUSB接続されていることが前提になる。
【００３８】
画像表示中のUSB接続、或いはUSB接続した状態での再生開始が行われると、DVDプレーヤ１０１はDVD印刷モードに入り、USB接続した時はUSB接続間で情報交換等のプラグアンドプレイが開始される。
【００３９】
詳細なプラグアンドプレイで行われる処理、情報交換方法は後述プリンタ１０３の処理の説明時に行う。
【００４０】
プリンタが主体で処理が進みDVDプレーヤID、DVDプレーヤのモード状態、DVDディスクID等の情報がプリンタ１０３で取得される。
【００４１】
この時、テレビモニタ１０２の表示内の一部に印刷選択アイコンが現われる（不図示）。表示画像の印刷を希望する場合は操作／表示パネル２０５の操作ボタン（不図示）を操作して印刷選択アイコンを押下することにより、表示画像の印刷選択が行われる。
【００４２】
画像の選択がされることによって、RAM２０４上に対象画像のFile名（パスも含む）と印刷用JOBコマンドによる印刷JOB情報データが作成され、その情報データをもとにUSBコントローラ２１２でUSB転送用パケットが生成されUSBI/F２１１を介して印刷JOB情報データが送出される。実際はプリンタ１０３のUSBHOST側主体でバスの使用権を与えた後DVDプレーヤ１０１側はパケットデータを送出する。
【００４３】
DVDプレーヤ１０１では表示画像を操作／表示パネル２０５の「次ボタン」（不図示）を押下により新たな画像を見ながら次の印刷画像の選定判定がなされ、選定されたならば前記同様に印刷JOB情報データの送出を繰り返す。
【００４４】
表示画像の印刷選択を終了するには操作／表示パネル２０５の「終了ボタン」（不図示）の押下により終了し、その時プリンタ１０３へDVD印刷モード終了メッセージが送出され、また装着されていたDVDディスクの乗ったトレイが自動で引き出される。
【００４５】
取り出されたDVDディスクは外付けDVDドライブ１０４へ装着すると、プリンタ１０３で印刷が開始されるが、次にその印刷までの過程を説明する。
【００４６】
DVDプレーヤ１０２が画像をテレビモニタ１０２へ表示中にUSB接続を行った場合のUSBプラグアンドプレイから説明する。
【００４７】
USBホスト側であるプリンタ１０３からみてデバイス側であるDVDプレーヤ１０１を検出するとデフォルトアドレス０としてプリンタ１０３からの通信待ちになり、一方プリンタ１０３ではデバイス検出によりデバイスディスクリプタの要求を発行する。
【００４８】
DVDプレーヤ１０１では情報を提供する応答を返す。プリンタ１０３ではその応答によりユニークなアドレスをDVDプレーヤ１０１に割り付け、応答内の情報によりDVD印刷機能を持つDVD印刷モード状態にある特定DVDプレーヤであることが判断できる。
【００４９】
プリンタ１０３ではDVD印刷モードに入りDVDプレーヤ１０１からのUSBインタラプト転送を待つポーリングモードに入り定期的にトークンを発行しながら応答を待つ。
【００５０】
DVDプレーヤ１０１がDVD印刷モード以外である時、例えば画像表示を中断している時などはDVD印刷待機状態であり、そのステータス情報がプリンタ１０３へ伝えられ、プリンタ１０３ではDVD印刷モードから抜け通常の印刷モードになる。但しUSBインタラプト転送を待つポーリングモードは続き、DVDプレーヤ１０１のステータス情報の変化を待つ。
【００５１】
この状態からDVDプレーヤ１０１で表示が再開されると、USBI/Fは接続された状態である為再びDVD印刷モードに移り、そのステータス情報は定期的なポーリング動作によりプリンタ１０３へ伝わり、プリンタ１０３でも再びDVD印刷モードに移る。
【００５２】
また、USB接続をした状態でDVDプレーヤ１０１の電源を投入した時は、前述同様USBプラグアンドプレイが開始され、但し電源直後はディスク画像の表示状態にはないためDVD印刷待機状態での設定になり、ディスクが装着され再生開始ボタンにより再生開始されるとDVDプレーヤ１０１、プリンタ１０３ともにDVD印刷モードへ遷移する。
【００５３】
プリンタ１０３側の詳細な説明に入る。
【００５４】
プリンタ１０３では、USBプラグアンドプレイセットアップのホスト動作により、前述のごとくデバイスディスクリプタの情報を得ると、CPU２２１はROM２２２内のプログラム情報に基づき情報内のＤＶＤ印刷対応DVDプレーヤデバイスIDであるベンダーID、プロダクトIDをディスクリプタ情報と比較して一致すればＤＶＤ印刷対応DVDプレーヤが接続されたと判断でき、DVD印刷モードの印刷JOBの受け付け準備に入る。
【００５５】
DVDプレーヤからの印刷JOBを受信すると、DVDディスク情報、印刷File名（パス情報含む）をRAM２２３の印刷JOB情報エリアへ一時保存する。
【００５６】
さらに次の印刷JOBを受信すると前記印刷JOB情報エリアへ順に保存を追加する。
【００５７】
以上の動作をDVD印刷モード終了メッセージを受信するまで繰り返す。
【００５８】
前記のごとく「終了ボタン」押下によりDVD印刷モードが終了すると、DVDプレーヤ１０１からプリンタ１０３へDVD印刷モード終了メッセージが送出され、装着されていたDVDディスクの乗ったトレイが自動で引き出されDVDディスクの取り出しが可能になる。
【００５９】
プリンタ１０３ではDVD印刷モード終了メッセージを受信すると印刷モードポーリング状態から抜け、印刷ステージへ進む。
【００６０】
印刷ステージでは、前述デバイスディスクリプタ情報からのDVDディスク情報と一致したディスクの装着待ちになり、先ほどDVDプレーヤ１０１から取り出されたDVDディスクを外付けDVDドライブ１０４へ装着しDVDディスク情報と一致すれば、印刷処理が開始される。
【００６１】
印刷処理が開始されると、RAM２２３の印刷JOB情報エリアに保存してある印刷JOB情報を古い順に読み出し、パスと画像File名情報からDVD-Rディスク内のFileを見つけて読み出し、プリンタコントローラ２２４へ送り、そこで所定の印刷条件で画像処理を開始する。画像処理された印刷データはプリンタエンジン部２２５へ送られ印刷が実行される。
【００６２】
印刷JOB情報がなくなるまで上記処理を繰り返し、なくなればDVD印刷処理は終了となる。
【００６３】
図3は、DVDダイレクト印刷処理（DVDプレーヤ１０１）のフローチャートを示す。
【００６４】
DVDダイレクト印刷処理では３０１でプリンタが接続されているかを判定し、接続されていなければ終了へ、接続されていれば３０２のＤＶＤディスクは再生中か判定、再生中でなければ終了へ、再生中であれば次へ進み３０３でＤＶＤ印刷モード開始し３０４でＤＶＤ印刷モードが終了かの判定で、終了でなければ３０５の印刷画像Fileが選択されたかを判定、印刷選択アイコン押下により画像選択されたならば３０６の印刷ＪＯＢ情報の生成及び送信しその後３０４へ戻り、印刷画像Fileが選択されない場合も３０４へ戻りＤＶＤ印刷モード終了まで前記の処理が繰り返される。
【００６５】
操作／表示パネル２０５の「終了ボタン」（不図示）押下により３０４でDVD印刷モード終了が判定されると、３０７でＤＶＤ印刷モード終了メッセージをプリンタ１０３へ送信して、ＤＶＤダイレクト印刷処理は終了する。
【００６６】
図４は、プリンタ１０３で行われるＤＶＤダイレクト印刷処理のフローチャートである。
【００６７】
プリンタ１０３におけるDVDダイレクト印刷処理では、４０１でDVDプレーヤが接続されているかを判定し、接続されていなければ終了へ、接続されていれば３０２のＤＶＤディスクは再生中かをDVDプレーヤ１０１からの情報をもとに判定、再生中でなければ終了へ、再生中であれば次へ進み４０３でＤＶＤ印刷モード開始し４０４ではDVD印刷モードが中断したかを判別し中断であれば終了する。中断でなければ４０５でＤＶＤ印刷モードが終了かを判定し終了でなければ４０６の印刷JOB情報を受信したかを判定、受信が無ければ４０４へ戻り受信があれば４０７で印刷JOB情報を保存し４０４へ戻りＤＶＤ印刷モード終了まで前記の処理が繰り返される。
【００６８】
DVDプレーヤ１０１からDVD印刷モード終了メッセージを受け取り４０５でDVD印刷モード終了が判定されると、４０８で外部DVDドライブ１０４にDVDプレーヤ１０１で印刷画像選択に使用したDVD−Ｒディスク１０５が装着されたか判定し装着されるまで待機し、装着されたならば４０９でＤＶＤディスクのＩＤを読み出し、印刷ＪＯＢ情報内のＤＶＤディスクＩＤと一致するかを判定して、一致しなければ４０８へ戻り繰り返し、一致すれば４１０で保存されている印刷ＪＯＢ情報を読み出し、古い順に該当する画像FileをDVDディスクから読み出して印刷を実行し印刷JOB情報の印刷がすべて終了すれば、プリンタ１０３におけるDVDダイレクト印刷処理は終了する。
【００６９】
以上はPC印刷を無視して説明したが、次にPC印刷と競合した場合の説明を行う。
【００７０】
通常プリンタのタスク制御はモーター制御、印刷ヘッド制御等が処理の優先順位が高く、次の優先順位にPCから転送されたデータをバッファから読み出す処理、画像処理等が続き、印刷全体の処理が調停されながら進行している。
【００７１】
本発明ではPC印刷中の上記処理中であっても、DVDプレーヤでDVD印刷モードになったならば、印刷JOB情報の取得は処理の優先順位は最下位に設定されてPC印刷に影響を与えない範囲で実行される。但し、印刷についてはDVDディスク１０６がDVDドライブ１０４にセットされてもPC印刷が終了するまでは待機させられ、PC印刷の終了とともに印刷を開始する。
【００７２】
図７はプリンタ１０３のメイン処理の概要のフローチャートを示す。
【００７３】
図中７０１でPC印刷モード開始かの判断を行いPC印刷モード開始を確認できなければ次の７０３へ進み、PC印刷モード開始を確認できれば７０２のPC印刷開始処理へ進み７０３へ進む。
【００７４】
７０３ではUSB  HOSTにDVDプレーヤ１０１が接続されているかを判定し接続がなければ７０１へ戻り、接続されていれば７０４でDVDプレーヤ１０１に対して定期トークンを発行して７０５でその応答情報内にDVDプレーヤ状態の変化があったかを判定し変化がなければ７０１へ、変化があれば７０６へ進み、７０６ではその情報データを取り込み、７０７でその情報データ内にDVD印刷モードが開始或いは再開の情報があるかを判定、なければ７０１へ、あれば７０８へ進み、７０８ではDVDダイレクト処理を実行する。
【００７５】
DVDダイレクト処理７０８が終了すると７０１へ戻り、上記処理が繰り返される。
【００７６】
以上によりPC印刷中であっても７０４において定期トークンが発行されDVDプレーヤの状態を監視することができ、印刷JOB情報を受けとることが出来る。
【００７７】
一方逆にDVD印刷モード中の場合はPC印刷は待機させられ、DVD印刷モードが中断されれば、PC印刷は開始でき、DVD印刷モード終了時はDVD印刷後PC印刷は可能になる。
【００７８】
実施例特有の効果
本実施例では以上説明した通り、DVDプレーヤ再生時に印刷目的の画像選択をした際にDVD−ＲディスクのＩＤ、印刷画像File名（パスを含む）等の印刷指定情報と印刷条件等の印刷JOB情報をプリンタへ送信を行い、プリンタではDVDプレーヤから取り出されたDVD−Rディスクがプリンタ用外部DVDドライブにセットされた時、前述印刷JOB情報をもとに印刷指定された画像Fileの印刷を自動で実行するシステムを構築することにより、DVDプレーヤでは印刷に拘わる処理が軽減できるため、DVDプレーヤ本来の処理を優先的に実行でき、またデータの転送に関してもデータ量も少ない為、処理にかかる負荷が殆ど発生しなく本来の処理への影響を与えなくてすむ印刷システムが提供でき操作性、利便性が向上するという効果がある。
【００７９】
またPC印刷中にあってもDVDプレーヤで印刷画像の選択ができ、PC印刷終了後に選択画像が引き続き印刷可能になるため、操作性が向上するという効果もある。
【００８０】
本実施例は前記実施例における印刷モードを間接印刷モードと定義付け、それに対して直接印刷モードを設け、この印刷モードの切り替え手段を設けたことを特徴としている。
【００８１】
図５は、DVDダイレクト印刷処理（DVDプレーヤ１０１）のフローチャートを示す。
【００８２】
DVDダイレクト印刷処理では５０１でプリンタが接続されているかを判定し、接続されていなければ終了へ、接続されていれば５０２のＤＶＤディスクは再生中か判定、再生中でなければ終了へ進む。
【００８３】
再生中であれば次の５０３へ進み、印刷モードに間接か直接かどちらが選ばれているか判断して、画像再生開始時テレビモニタ１０２に表示される印刷モード選択画面（不図示）で操作／表示パネル２０５から「直接印刷モード」が選択されると直接印刷モードと判断されモード情報はプリンタ１０３へ送られ５０４の印刷画像File選択判定へ進む。印刷画像File選択判定５０４では表示画像が選択されたかを判定していて選択されなければ間接印刷モード判定５０３へ戻ってからまた印刷画像File選択判定５０４が繰り返される。印刷画像Fileが選択されると５０５の画像File送信処理へ進み、該当画像FileをDVD-Rディスクから読み取り画像Fileデータをプリンタ１０３へ送信する。
【００８４】
間接印刷モード判定５０３で間接モードが選択されるとモード情報がプリンタ１０３へ送られ５０６で間接印刷モードが開始され５０７で間接印刷モードが終了かの判定を行い、終了でなければ５０８の印刷画像Fileが選択されたかを判定、印刷選択アイコン押下により画像選択されたならば５０９の印刷ＪＯＢ情報の生成及び送信しその後５０７へ戻り、印刷画像Fileが選択されない場合も５０７へ戻り間接印刷モード終了まで前記の処理が繰り返される。
【００８５】
操作／表示パネル２０５の「終了ボタン」（不図示）押下により間接印刷モード終了５０７が判定されると、５１０で間接印刷モード終了メッセージをプリンタ１０３へ送信して、ＤＶＤダイレクト印刷処理は終了する。
【００８６】
図６は、プリンタ１０３で行われるＤＶＤダイレクト印刷処理のフローチャートである。
【００８７】
プリンタ１０３におけるDVDダイレクト印刷処理では、６０１でDVDプレーヤが接続されているかを判定し、接続されていなければ終了へ、接続されていれば６０２のＤＶＤディスクは再生中かをDVDプレーヤ１０１からの情報をもとに判定、再生中でなければ終了する。
【００８８】
再生中であれば次へ進み６０３で間接印刷モードであるかを判定する為DVDプレーヤから送られたモード情報を参照し、直接印刷モードの場合は６０４の印刷データ受信判定へ進む。印刷データ受信判定６０４では印刷データである画像Fileを受信したかを判定し受信がなければ６０３へもどり、繰り返す。画像Fileを受信したならば６０５へ進み、受信画像Fileの通常印刷が開始され、印刷終了でDVDダイレクト印刷処理は終了する。
【００８９】
間接印刷モード判定６０３で間接モード情報を受信していたならば６０６で間接印刷モード開始し６０７でＤＶＤ印刷モードが終了かの判定で、終了でなければ６０８の印刷JOB情報を受信したかを判定、受信が無ければ６０７へ戻り受信があれば６０８で印刷JOB情報を保存し６０７へ戻りＤＶＤ印刷モード終了まで前記の処理が繰り返される。
【００９０】
DVDプレーヤ１０１からDVD印刷モード終了メッセージを受け取り６０７でDVD印刷モード終了が判定されると、６１０で外部DVDドライブ１０４にDVDプレーヤ１０１で印刷画像選択に使用したDVD−Ｒディスク１０５が装着されたか判定し装着されるまで待機し、装着されたならば６１１でＤＶＤディスクのＩＤを読み出し、印刷ＪＯＢ情報内のＤＶＤディスクＩＤと一致するかを判定して、一致していなければ６１０へ戻り、一致すれば６１２で保存されている印刷ＪＯＢ情報を読み出し、古い順に該当する画像FileをDVDディスクから読み出して印刷を実行し、印刷JOB情報の印刷がすべて終了すれば、プリンタ１０３におけるDVDダイレクト印刷処理は終了する。
【００９１】
別の方法として、画像の選択時にその場ではデータを送らないですべての画像選択の終了後に印刷データを纏めて送信し、プリンタでまとめて一括印刷処理を行う方法もある。
【００９２】
実施例特有の効果
本実施例ではDVDプレーヤ再生時に印刷モードの選択ができ間接モードを選べば前記実施例１と同様の動きをして同様な効果が得られ、直接モードを選べば印刷処理中はDVDプレーヤの処理機能に制限が入り、例えば再生を一通り済ませた後印刷画像選択を行い印刷を実行することで制限の影響を少なく対処するなど状況に合わせた選択肢が増える為、ユーザーが状況に応じて対応できるという利便性が向上する効果がある。
【図面の簡単な説明】
【００９３】
【図１】本発明の構成を示す構成図
【図２】全体の構成の機能ブロックで示す機能ブロック図
【図３】DVDプレーヤにおけるDVDダイレクト印刷処理１のフローチャートを示す図
【図４】プリンタにおけるDVDダイレクト印刷処理１のフローチャートを示す図
【図５】DVDプレーヤにおけるDVDダイレクト印刷処理２のフローチャートを示す図
【図６】プリンタにおけるDVDダイレクト印刷処理２のフローチャートを示す図
【図７】プリンタのメイン制御のフローチャートを示す図
【符号の説明】
【００９４】
１０１  DVDプレーヤ
１０２  TVモニタ
１０３  プリンタ
１０４  DVDドライブ
１０５  DVDディスク（DVD-R）
【図１】
2006121300.tif 000003
【図２】
2006121300.tif 000004
【図３】
2006121300.tif 000005
【図４】
2006121300.tif 000006
【図５】
2006121300.tif 000007
【図６】
2006121300.tif 000008
【図７】
2006121300.tif 000009